(57)【要約】【課題】多種の形状の光学デバイスに汎用的に使用出来ると共に、簡易な形状で廉価な梱包ケースを提供することを目的とする。【解決手段】梱包ケース７は、光学デバイス８を収容する汎用トレー９と、上蓋１０と、底板１１とにより構成し、汎用トレー９の裏面には、所定の幅で粘着面が汎用トレー９に設けた窓１２から覗くよう二枚の粘着テープ１３が貼り付けられ、光学デバイス８は、前記二枚の粘着テープ１３の接着面に、光学デバイス８の光学面の有効径にかからないよう接着する。従って、本第一の実施例の如く梱包ケース７を構成することにより、梱包ケース７が振動した場合であっても、光学デバイス８と汎用トレー９とが接触してごみが発生することもなく、又、光学デバイス８を平置きしたため、光学デバイス８が倒れることもなく、転倒防止用のガイドも不要である。【選択図】    図１
2006176175.tif 000002
【特許請求の範囲】
【請求項１】
光学デバイスを収納するための中空部を有するトレー部材と、該トレー部材の下面を覆う底板と、前記トレー部材の上面を覆う上蓋とを備えた光学デバイス用梱包ケースにおいて、
前記トレー部材は、前記中空部をトレー部材の中央部を上面から下面に貫通する貫通孔にて構成し、該貫通孔から粘着面が露出するようにトレー部材の下面には所定の間隔を隔して二枚の粘着テープを貼り付けたものであることを特徴とする光学デバイス用梱包ケース。
【請求項２】
前記粘着テープの間隔は、光学デバイスの光学面の有効径よりも広く、且つ光学デバイスの外形寸法よりも狭く設定されていることを特徴とする請求項1に記載の光学デバイス用梱包ケース。
【請求項３】
前記トレー部材を複数段積み重ねられる構造とし、積み重ねた状態で最下段のトレー部材の下面を底板にて覆い、最上段のトレー部材の上面を上蓋にて覆うことを特徴とする請求項1又は２に記載の光学デバイス用梱包ケース。
【発明の詳細な説明】
【技術分野】
【０００１】
本発明は光学デバイス用梱包ケースに関し、特に光学デバイスを客先に納入する際に、光学面を汚損しない構造で、低コスト化を実現する光学デバイス用梱包ケースに関するものである。
【背景技術】
【０００２】
従来、光学デバイスを梱包する手段としては、箱型ケースの内部に設けた所定の形状の複数の凹部に光学デバイスを収容し、蓋を被せた構造の梱包ケースが使用されていた。この様な梱包ケースを使用した場合には、例えば、梱包ケースを運搬中に、梱包ケースが振動すると、内部に収容された光学デバイスが梱包ケースの凹部内壁面と接触を繰り返し、光学デバイスの鋭利な端面やトレーの内壁が削られることにより、デバイス破片やトレー片などの屑が発生して前記屑が光学デバイスの光学面に付着して光学面を汚損する問題があった。
【０００３】
そこで、この様な問題を解決する手段として、特開２００１−２１６７号公報や、特開２００２−３７０７８０号公報に開示されているように、梱包ケースの底面に接着用の固着テープを貼り付けて光学デバイスをこの固着テープにより接着保持することが提案されている。
【０００４】
図５は、従来の光学デバイス用梱包ケースの事例の構成を示す構造例である。梱包ケース１は、梱包ケース本体２に所定の形状の凹部３を帯状に複数形成し、該凹部３の底面には、固着テープ４が貼り付けられている。そこで、光学デバイス５を梱包ケース１に収納する際は、凹部３の底面に貼り付けられた固着テープに光学デバイスの一側面を接着させ、縦置きして自立させる。その後、蓋６を被せて出荷する。このように、梱包ケース本体２に凹部３を設けることにより、縦置きされた光学デバイス５が梱包ケース１に衝撃が加わるなどして倒れた場合であっても、隣りに収納した光学デバイス５と接触することは無く、光学デバイス５の光学面を汚損することはない。
【特許文献１】特開２００１−２１６７号公報
【特許文献２】特開２００２−３７０７８０号公報
【発明の開示】
【発明が解決しようとする課題】
【０００５】
しかしながら、従来の梱包ケースは、光学デバイスを縦置きしており、光学デバイスが倒れた際に隣の光学デバイスと接触しないよう梱包ケース本体に凹部を形成したり、或いは光学デバイス間に転倒防止用のガイドを設けたりするといったことが必要であり、梱包ケースの構造が複雑となってコストの上昇を招くという問題が生じていた。
又、梱包ケース本体に設ける凹部の形状や、ガイドの形状については、光学デバイスの形状に従って夫々異なった形状のものが必要であり、梱包ケースが多種となり梱包の工程において作業が煩雑で問題と成っていた。
本発明は上述したような問題を解決するためになされたものであって、多種の形状の光学デバイスに汎用的に使用出来ると共に、簡易な形状で廉価な梱包ケースを提供することを目的とする。
【課題を解決するための手段】
【０００６】
上記目的を達成するために本発明に係わる光学デバイス用梱包ケースは、以下の構成をとる。
請求項１に記載の光学デバイス用梱包ケースは、光学デバイスを収納するための中空部を有するトレー部材と、該トレー部材の下面を覆う底板と、前記トレー部材の上面を覆う上蓋とを備えた光学デバイス用梱包ケースにおいて、前記トレー部材は、前記中空部をトレー部材の中央部を上面から下面に貫通する貫通孔にて構成し、該貫通孔から粘着面が露出するようにトレー部材の下面には所定の間隔を隔して二枚の粘着テープを貼り付けるよう構成する。
【０００７】
請求項２に記載の光学デバイス用梱包ケースは、前記粘着テープの間隔は、光学デバイスの光学面の有効径よりも広く、且つ光学デバイスの外形寸法よりも狭く設定するよう構成する。
【０００８】
請求項３に記載の光学デバイス用梱包ケースは、前記トレー部材を複数段積み重ねられる構造とし、積み重ねた状態で最下段のトレー部材の下面を底板にて覆い、最上段のトレー部材の上面を上蓋にて覆うよう構成する。
【発明の効果】
【０００９】
請求項１及び２に記載の発明は、粘着テープをトレー基板に貼る位置を変更したり、或いは、粘着テープの幅を変更したりすることにより、トレーを多種の形状の光学デバイスに対応することが出来る汎用トレーとしたので、簡単な構造で、廉価な梱包ケースを実現出来、光学デバイスを客先に納入する上で大きな効果を発揮する。
【００１０】
請求項３に記載の発明は、汎用トレーを多段積みすることが可能であり、客先に納入する光学デバイスの数量に合わせて段数を決定することが出来るので、使い勝手の良い梱包ケースを実現して光学デバイスを客先に納入する上で大きな効果を発揮する。
【発明を実施するための最良の形態】
【００１１】
以下、図示した実施例に基づいて本発明を詳細に説明する。
本発明においては、多種の形状の光学デバイスに対して汎用的に使用できるトレーを設けたことが特長であり、該トレーは板状として中央部に所定の寸法の窓（貫通孔）を形成し、この窓にトレーの裏面から光学デバイスの形状に合わせたテープ幅の粘着テープを貼り付け、トレーの表側から光学デバイスを平置きにして接着させた。又、粘着テープを光学デバイスに貼り付ける際には、粘着テープの光学デバイスへの貼り付け範囲を、光学デバイスの光学面の有効径にかからない程度とする（有効径より広く且つ外形寸法より狭く）。
【００１２】
図１は、本発明に係る梱包ケースの第一の実施例を示す構造図であり、図１（ａ）は分解斜視図を示し、図１（ｂ）は積層した図を示す。図１に示すように、梱包ケース７は、光学デバイス８を収容する汎用トレー９と、上蓋１０と、底板１１とにより構成し、汎用トレー９の裏面には、所定の幅で粘着面が汎用トレー９に設けた窓１２から覗くよう二枚の粘着テープ１３が貼り付けられ、光学デバイス８は、前記粘着テープ１３の接着面に、光学デバイス８の光学面の有効径にかからないよう接着する。
【００１３】
従って、本第一の実施例の如く梱包ケース７を構成することにより、梱包ケース７が振動した場合であっても、光学デバイス８と汎用トレー９とが接触してごみが発生することもなく、又、光学デバイス８を平置きしたため、光学デバイス８が倒れることもなく、転倒防止用のガイドも不要である。
【００１４】
図２は、本発明に係る梱包ケースにおいて、汎用トレーの分解図を示し、図２（ａ）はトレー用基板のみを示し、図２（ｂ）はトレー用基板の裏面に二枚の粘着テープを貼り付けた状態を裏面から見た図であり、図２（ｃ）は汎用トレーに光学デバイスを接着した状態を表面から見た図である。図２に示すように汎用トレーは、トレー用基板１４と二枚の粘着テープ１３とにより構成されており、トレー用基板１４には、所定の寸法で窓１２が開けられている。
【００１５】
窓１２は、汎用トレーに収容する最大寸法の光学デバイス８の外形寸法より大きめに設定されており、光学デバイス８の外形寸法に合わせて二枚の粘着テープ１３を貼る位置を調整している。即ち、トレー基板１４に設けた窓１２の長辺に沿って貼る二枚の粘着テープ１３の間隔を、粘着テープ１３に光学デバイス８を接着させた際に、接着する光学デバイス８の光学面の有効径にかからないよう設定する。本実施例においては図２に示すように、光学デバイス８の光学面に０．５ｍｍの無効領域があり、光学デバイス８をこの部分に粘着テープ１３の接着面が接触するように配置する。
【００１６】
図３は、本発明に係る梱包ケースの第一の実施例の変形例を示す汎用トレーの構造図である。図３（ａ）に示した変形例は、第一の実施例において示した光学デバイスと比べて小型の光学デバイスを汎用トレーに収納した場合を示すものである。汎用トレー１５の裏面には、所定の幅で粘着面がトレー基板１４に設けた窓１２から覗くよう二枚の粘着テープ１６が貼り付けられ、光学デバイス１７は、前記二枚の粘着テープ１６の接着面に、光学デバイス１７の光学面の有効径にかからないよう接着している。
【００１７】
本変形例においては、第一の実施例で示した光学デバイス８と比べて小型の光学デバイス１７を収納するため、トレー基板１４に設けた窓１２の長辺に沿って貼る二枚の粘着テープ１６のテープ幅を太くすると共に、テープ間隔を小型の光学デバイス１７の寸法に合わせて狭くしている。このように、トレー基板１４に設けた窓１２の長辺に沿って貼る二枚の粘着テープ１６の間隔を調整することや、或いは、粘着テープの幅を変えることにより、多種の形状の光学デバイスを本梱包ケースに収容することが可能となる。
【００１８】
次に、例えば図３（ｂ）に示す汎用トレー１８のように、更に小さな光学デバイス１９を収納する場合、３本の粘着テープ１６をトレー基板１４に固定して収納力の向上を図ることも可能である。但し、複数枚の粘着テープを用いた場合、中央の粘着テープは両端部のみが固定されているだけなので、耐振動、耐衝撃性に留意すべきである。
【００１９】
図４は、本発明に係る梱包ケースの第二の実施例を示す構造図であり、図４（ａ）は分解斜視図を示し、図４（ｂ）は積層した図を示す。本第二の実施例は、汎用トレーを多段積みして光学デバイスの収容数を増やしたものである。汎用トレー９は重ね合わせることが出来る構造であり、梱包ケース２０は、光学デバイス８を収容する汎用トレー９を４段多段積みし、上蓋１０と、底板１１とを貼り付けたものである。
【００２０】
汎用トレー９は、前述したように、裏面に所定の幅で粘着面が汎用トレー９に設けた窓１２から覗くよう二枚の粘着テープ１３が貼り付けられ、光学デバイス８は、前記粘着テープ１３の接着面に、光学デバイス８の光学面の有効径にかからないよう接着している。そこでこのように、光学デバイス８の収容数に合わせて汎用トレー９の数を任意に増減することで最適な梱包ケース２０を実現することが出来る。
【００２１】
以上の実施例では、一つのトレー基板に一つの窓を設けたものを例示したが、一つのトレー基板に複数の窓を設けたものであっても良い。
【図面の簡単な説明】
【００２２】
【図１】本発明に係る梱包ケースの第一の実施例を示す構造図である。
【図２】本発明に係る梱包ケースにおいて、汎用トレーの分解図を示す。
【図３】本発明に係る梱包ケースの第一の実施例の変形例を示す汎用トレーの構造図である。
【図４】本発明に係る梱包ケースの第二の実施例を示す構造図である。
【図５】従来の光学デバイス用梱包ケースの事例の構成を示す構造例である。
【符号の説明】
【００２３】
１・・梱包ケース、
２・・梱包ケース本体、
３・・凹部、
４・・固着テープ、
５・・光学デバイス、
６・・蓋、
７・・梱包ケース、
８・・光学デバイス、
９・・汎用トレー、
１０・・上蓋、
１１・・底板、
１２・・窓、
１３・・粘着テープ、
１４・・トレー基板、
１５・・汎用トレー、
１６・・粘着テープ
１７・・光学デバイス、
１８・・汎用トレー、
１９・・光学デバイス、
２０・・梱包ケース
【図１】
2006176175.tif 000003
【図２】
2006176175.tif 000004
【図３】
2006176175.tif 000005
【図４】
2006176175.tif 000006
【図５】
2006176175.tif 000007